(57)【要約】【課題】装置にエラー状態又は警告状態が発生しても、そのエラー状態又は警告状態の表示又は非表示を制御できる画像診断装置又は医用情報表示装置を提供する。【解決手段】所定の条件を予め記憶しておき、画像診断装置や医用情報表示装置又はこれらが処理を要求した外部装置に何らかのエラー状態又は警告状態が発生すると、この所定の条件の適合を検知する。所定の条件の適合が検知されると、エラー状態又は警告状態が発生しても報知ダイアログを表示しない。所定条件としては、登録されているアプリケーションの起動、登録されているモードでの医用情報の表示、又は登録されているショートカットキーの入力等、又はこれに加えて登録されている種類のエラー状態又は警告状態の発生である。【選択図】図１
2009160234.tif 000002
【特許請求の範囲】
【請求項１】
被検体を撮影して医用画像を生成する撮影手段と、前記医用画像を含む各種医用情報を表示する表示手段とを含み、前記医用情報を表示させつつ、各種アプリケーションを起動して各種処理を実行する画像診断装置であって、
所定のアプリケーション識別情報を予め記憶する第１の記憶手段と、
前記各種処理にエラー状態又は警告状態が発生したとき、前記医用情報と共に報知ダイアログを前記表示手段に表示させるダイアログ表示制御手段と、
前記第１の記憶手段に記憶されている前記アプリケーション識別情報に対応する前記アプリケーションの起動を検知する検知手段と、
を備え、
前記ダイアログ表示制御手段は、
前記検知手段により前記起動が検知されたときは、前記報知ダイアログを表示しないこと、
を特徴とする医用画像診断装置。
【請求項２】
被検体を撮影して医用画像を生成する撮影手段と、前記医用画像を含む各種医用情報を画面表示の各種モードで表示する表示手段を含み、前記医用情報を表示させつつ、各種アプリケーションを起動して各種処理を実行する画像診断装置であって、
前記各種モードの入力を受付ける操作手段と、
前記各種処理にエラー状態又は警告状態が発生したとき、前記医用情報と共に報知ダイアログを前記表示手段に表示させるダイアログ表示制御手段と、
所定の前記モードに応じた前記医用情報の表示を検知する検知手段と、
を備え、
前記ダイアログ表示制御手段は、
前記検知手段により前記所定のモードに応じた前記医用情報の表示が検知されたときは、前記報知ダイアログを表示しないこと、
を特徴とする医用画像診断装置。
【請求項３】
被検体を撮影して医用画像を生成する撮影手段と、前記医用画像を含む各種医用情報を表示する表示手段とを含み、前記医用情報を表示させつつ、各種アプリケーションを起動して各種処理を実行する画像診断装置であって、
所定のショートカットキーが予め登録される第１の記憶手段と、
前記各種処理にエラー状態又は警告状態が発生したとき、前記医用情報と共に報知ダイアログを前記表示手段に表示させるダイアログ表示制御手段と、
前記ショートカットキーの入力を受付ける操作手段と、
前記第１の記憶手段に記憶されている前記所定のショートカットキーの入力を検知する検知手段と、
を備え、
前記ダイアログ表示制御手段は、
前記検知手段により前記所定のショートカットキーの入力が検知されたときは、前記報知ダイアログを表示しないこと、
を特徴とする医用画像診断装置。
【請求項４】
前記表示手段は、
前記モードに応じた画面色パターンで前記医用情報の画面を配色して表示し、
前記所定のモードに応じた前記画面色パターンを識別する画面色パターン識別情報を予め記憶する前記第２の記憶手段をさらに備え、
前記検知手段は、
前記第２の記憶手段に記憶されている前記画面色パターン識別情報に対応する前記画面色パターンで前記画面が配色されることを検知することで、前記所定のモードに応じた前記医用情報の表示を検知すること、
を特徴とする請求項２記載の医用画像診断装置。
【請求項５】
前記検知手段による前記検知がなされたときは、前記表示手段に抑制状態を示す抑制マークを予め表示させる抑制表示制御手段をさらに備えること、
を特徴とする請求項１乃至３の何れかに記載の医用画像診断装置。
【請求項６】
前記報知ダイアログを表示しないエラー状態又は警告状態が発生したときは、前記抑制マークを強調して表示させる状態表示制御手段をさらに備えること、
を特徴とする請求項５に記載の医用画像診断装置。
【請求項７】
所定のエラー状態又は警告状態を識別する識別情報を記憶する第２の記憶手段をさらに備え、
前記検知手段は、
前記第２の記憶手段に記憶されている前記識別情報に対応するエラー状態又は警告状態の発生をさらに検知し、
前記ダイアログ表示制御手段は、
前記検知手段により前記発生の検知もさらに加えてなされたときは、前記報知ダイアログを表示しないこと、
を特徴とする請求項１乃至３の何れかに記載の医用画像診断装置。
【請求項８】
医用情報を表示する表示手段を含み、前記医用情報を表示させつつ、各種アプリケーションを起動して各種処理を実行する医用情報表示装置であって、
所定のアプリケーション識別情報を予め記憶する第１の記憶手段と、
前記各種処理にエラー状態又は警告状態が発生したとき、前記医用情報と共に報知ダイアログを前記表示手段に表示させるダイアログ表示制御手段と、
前記第１の記憶手段に記憶されている前記アプリケーション識別情報に対応する前記アプリケーションの起動を検知する検知手段と、
を備え、
前記ダイアログ表示制御手段は、
前記検知手段により前記起動が検知されたときは、前記報知ダイアログを表示しないこと、
を特徴とする医用情報表示装置。
【請求項９】
医用情報を画面表示の各種モードで表示する表示手段を含み、前記医用情報を表示させつつ、各種アプリケーションを起動して各種処理を実行する医用情報表示装置であって、
前記各種モードの入力を受付ける操作手段と、
前記各種処理にエラー状態又は警告状態が発生したとき、前記医用情報と共に報知ダイアログを前記表示手段に表示させるダイアログ表示制御手段と、
所定の前記モードに応じた前記医用情報の表示を検知する検知手段と、
を備え、
前記ダイアログ表示制御手段は、
前記検知手段により前記所定のモードに応じた前記医用情報の表示が検知されたときは、前記報知ダイアログを表示しないこと、
を特徴とする医用情報表示装置。
【請求項１０】
医用情報を表示する表示手段を含み、前記医用情報を表示させつつ、各種アプリケーションを起動して各種処理を実行する医用情報表示装置であって、
所定のショートカットキーが予め登録される第１の記憶手段と、
各種処理にエラー状態又は警告状態が発生したとき、前記医用情報と共に報知ダイアログを前記表示手段に表示させるダイアログ表示制御手段と、
前記ショートカットキーの入力を受付ける操作手段と、
前記第１の記憶手段に記憶されている前記ショートカットキーに対応する入力が前記操作手段により予め受付けられたことを検知する検知手段と、
を備え、
前記ダイアログ表示制御手段は、
前記検知手段により前記所定のショートカットキーの入力が検知されたときは、前記報知ダイアログを表示しないこと、
を特徴とする医用情報表示装置。
【請求項１１】
前記表示手段は、
前記モードに応じた画面色パターンで前記医用情報の画面を配色して表示し、
前記所定のモードに応じた前記画面色パターンを識別する画面色パターン識別情報を予め記憶する前記第２の記憶手段をさらに備え、
前記検知手段は、
前記第２の記憶手段に記憶されている前記画面色パターン識別情報に対応する前記画面色パターンで前記画面が配色されることを検知することで、前記所定のモードに応じた前記医用情報の表示を検知すること、
を特徴とする請求項９記載の医用情報表示装置。
【請求項１２】
前記検知手段による検知がなされたときは、前記表示手段に抑制状態を示す抑制マークを予め表示させる抑制表示制御手段をさらに備えること、
を特徴とする請求項８乃至１０の何れかに記載の医用情報表示装置。
【請求項１３】
報知ダイアログを表示しないエラー状態又は警告状態が発生したときは、前記抑制マークを強調して表示させる状態表示制御手段をさらに備えること、
を特徴とする請求項１２に記載の医用情報表示装置。
【請求項１４】
所定のエラー状態又は警告状態を識別する識別情報を記憶する第２の記憶手段をさらに備え、
前記検知手段は、
前記第２の記憶手段に記憶されている前記識別情報に対応するエラー状態又は警告状態の発生をさらに検知し、
前記ダイアログ表示制御手段は、
前記検知手段により前記発生の検知もさらに加えてなされたときは、前記報知ダイアログを表示しないこと、
を特徴とする請求項８乃至１０の何れかに記載の医用情報表示装置。
【発明の詳細な説明】
【技術分野】
【０００１】
この発明は、医用情報を表示しているときにエラー状態又は警告状態が発生したときのダイアログの表示に関する。
【背景技術】
【０００２】
Ｘ線ＣＴ装置等の被検体を撮影する医用画像診断装置や画像管理システムや電子カルテシステム等の医用情報を表示する医用情報表示装置では、装置内部で実行している各種処理又は外部装置へ要求した処理に何らかのエラー状態や警告状態が発生した場合には、操作者に注意を喚起したり、対処すべき行動を指示したりするための報知を行う。この報知は、例えば、エラーや警告の内容を示す報知ダイアログを画面に表示することによって行う（例えば、「特許文献１」参照。）。
【０００３】
近年、患者やその家族や受診者に対するインフォームドコンセントが定着してきており、医用画像診断装置や医用情報表示装置の画面を医師や技師や看護師等の医療従事者以外の者が閲覧する機会が増加している。
【０００４】
従来は、患者やその家族や受診者が画面を閲覧していても、処理に何らかのエラー状態や警告状態が発生した場合には、黄色や赤色の報知ダイアログを画面に表示させていた。
【０００５】
病状や診断に関わる警告又はエラーなのか、それ以外のものなのかを判断できない患者や患者の家族や受診者が、この報知ダイアログを見てしまうと、その内容が気になり、これらの者にとって精神的な負担となる。特に心理的又は体力的に弱っている立場の者を不必要に不安にさせることは医療上好ましくない。また、医師や技師や看護師等の医療従事者にとっても、これらの者に報知ダイアログについての説明を求められる場合があり、医療とは直接関係のない不必要な説明を行う必要が生じる。
【０００６】
【特許文献１】特開２００７−２１３３６６号公報
【発明の開示】
【発明が解決しようとする課題】
【０００７】
この発明は、上述のような問題点に鑑みてなされたものであり、その目的とするところは、装置にエラー状態又は警告状態が発生しても、そのエラー状態又は警告状態の表示又は非表示を制御できる医用画像診断装置又は医用情報表示装置を提供するものである。
【課題を解決するための手段】
【０００８】
上記課題を解決するために、請求項１記載の本発明に係る医用画像診断装置は、被検体を撮影して医用画像を生成する撮影手段と、前記医用画像を含む各種医用情報を表示する表示手段とを含み、前記医用情報を表示させつつ、各種アプリケーションを起動して各種処理を実行する医用画像診断装置であって、所定のアプリケーション識別情報を予め記憶する第１の記憶手段と、前記各種処理にエラー状態又は警告状態が発生したとき、前記医用情報と共に報知ダイアログを前記表示手段に表示させるダイアログ表示制御手段と、前記第１の記憶手段に記憶されている前記アプリケーション識別情報に対応する前記アプリケーションの起動を検知する検知手段と、を備え、前記ダイアログ表示制御手段は、記検知手段により前記起動が検知されたときは、前記報知ダイアログを表示しないこと、を特徴とする。
【０００９】
上記課題を解決するために、請求項２記載の本発明に係る医用画像診断装置は、被検体を撮影して医用画像を生成する撮影手段と、前記医用画像を含む各種医用情報を画面表示の各種モードで表示する表示手段を含み、前記医用情報を表示させつつ、各種アプリケーションを起動して各種処理を実行する医用画像診断装置であって、前記各種モードの入力を受付ける操作手段と、前記各種処理にエラー状態又は警告状態が発生したとき、前記医用情報と共に報知ダイアログを前記表示手段に表示させるダイアログ表示制御手段と、所定の前記モードに応じた前記医用情報の表示を検知する検知手段と、を備え、前記ダイアログ表示制御手段は、記検知手段により前記所定のモードに応じた前記医用情報の表示が検知されたときは、前記報知ダイアログを表示しないこと、を特徴とする。
【００１０】
上記課題を解決するために、請求項３記載の本発明に係る医用画像診断装置は、被検体を撮影して医用画像を生成する撮影手段と、前記医用画像を含む各種医用情報を表示する表示手段とを含み、前記医用情報を表示させつつ、各種アプリケーションを起動して各種処理を実行する医用画像診断装置であって、所定のショートカットキーが予め登録される第１の記憶手段と、前記各種処理にエラー状態又は警告状態が発生したとき、前記医用情報と共に報知ダイアログを前記表示手段に表示させるダイアログ表示制御手段と、  前記ショートカットキーの入力を受付ける操作手段と、前記第１の記憶手段に記憶されている前記所定のショートカットキーの入力を検知する検知手段と、を備え、前記ダイアログ表示制御手段は、記検知手段により前記所定のショートカットキーの入力が検知されたときは、前記報知ダイアログを表示しないこと、を特徴とする。
【００１１】
上記課題を解決するために、請求項８記載の本発明に係る医用情報表示装置は、医用情報を表示する表示手段を含み、前記医用情報を表示させつつ、各種アプリケーションを起動して各種処理を実行する医用情報表示装置であって、所定のアプリケーション識別情報を予め記憶する第１の記憶手段と、前記各種処理にエラー状態又は警告状態が発生したとき、前記医用情報と共に報知ダイアログを前記表示手段に表示させるダイアログ表示制御手段と、前記第１の記憶手段に記憶されている前記アプリケーション識別情報に対応する前記アプリケーションの起動を検知する検知手段と、を備え、前記ダイアログ表示制御手段は、記検知手段により前記起動が検知されたときは、前記報知ダイアログを表示しないこと、を特徴とする。
【００１２】
上記課題を解決するために、請求項９記載の本発明に係る医用情報表示装置は、医用情報を画面表示の各種モードで表示する表示手段を含み、前記医用情報を表示させつつ、各種アプリケーションを起動して各種処理を実行する医用情報表示装置であって、前記各種モードの入力を受付ける操作手段と、前記各種処理にエラー状態又は警告状態が発生したとき、前記医用情報と共に報知ダイアログを前記表示手段に表示させるダイアログ表示制御手段と、所定の前記モードに応じた前記医用情報の表示を検知する検知手段と、を備え、前記ダイアログ表示制御手段は、記検知手段により前記所定のモードに応じた前記医用情報の表示が検知されたときは、前記報知ダイアログを表示しないこと、を特徴とする。
【００１３】
上記課題を解決するために、請求項１０記載の本発明に係る医用情報表示装置は、医用情報を表示する表示手段を含み、前記医用情報を表示させつつ、各種アプリケーションを起動して各種処理を実行する医用情報表示装置であって、所定のショートカットキーが予め登録される第１の記憶手段と、各種処理にエラー状態又は警告状態が発生したとき、前記医用情報と共に報知ダイアログを前記表示手段に表示させるダイアログ表示制御手段と、前記ショートカットキーの入力を受付ける操作手段と、前記第１の記憶手段に記憶されている前記ショートカットキーに対応する入力が前記操作手段により予め受付けられたことを検知する検知手段と、を備え、前記ダイアログ表示制御手段は、記検知手段により前記所定のショートカットキーの入力が検知されたときは、前記報知ダイアログを表示しないこと、を特徴とする。
【発明の効果】
【００１４】
本発明によれば、事前に患者や患者の家族や受診者が見る可能性のある画面を表示させるアプリケーションのアプリケーション識別情報を登録し、又は事前に患者や患者の家族や受診者が見る可能性のある画面が表示される環境で動作するモードのモード識別情報を登録しておけば、これらの者が見ている前では報知ダイアログが表示されなくなる。または、患者や患者の家族や受診者が見る可能性のあるときに事前にこのショートカットキーを入力しておけば、これらの者が見ている前では報知ダイアログが表示されなくなる。
【００１５】
従って、病状や診断に関わる警告又はエラーなのか、それ以外のものなのかを判断できない患者や患者の家族や受診者が報知ダイアログを見ることがなくなり、これらの者の精神的な負担を軽減することができる。また、医師や技師や看護師等の医療従事者にとっても、これらの者に不必要な説明を行う必要が無くなり、その負担が軽減される。
【発明を実施するための最良の形態】
【００１６】
以下、本発明に係る医用情報の表示中に各種処理のエラー状態や警告状態を示す報知ダイアログを表示する技術の好適な各実施形態について、図面を参照しながら具体的に説明する。
【００１７】
（第１の実施形態）
図１は、第１の実施形態に係る医用情報表示装置１の構成を示す図である。
【００１８】
医用情報表示装置１は、表示制御部２０と画面情報記憶部５０と表示部１０を有しており、表示部１０に医用情報を表示させる装置である。医用情報は、患者の内部を画像化した医用画像、患者情報、又は検査情報である。
【００１９】
表示部１０は、液晶ディスプレイやＣＲＴディスプレイ等の画像を表示するモニタである。画面情報記憶部５０は、所謂ストレージであり、表示部１０に表示させる画面画像を構成するオブジェクトを記憶している。オブジェクトは、例えば、画面のテンプレート、画面に配置される各種アイコン、医用画像、患者情報、検査情報等である。表示制御部２０は、医用情報表示制御部２１を有している。この医用情報表示制御部２１によって、画面情報記憶部５０に記憶されているオブジェクトから画面の画像が作成されて表示部１０に出力される。
【００２０】
また、医用情報表示装置１は、処理部４０と送受信部３０を有しており、各種処理の実行と、外部装置との通信を行う。送受信部３０は、外部装置と通信を行うネットワークインターフェースであり、ネットワークＮを介して印刷装置２００と接続されている。処理部４０は、プロフェッサと外部記憶装置と主記憶装置を含み構成されるコンピュータであり、外部記憶装置に記憶されている各種のアプリケーションを実行することで各種の処理を行い、医用情報表示装置１全体を制御する。
【００２１】
アプリケーションは、制御プログラムである。処理部４０は、例えば、患者情報や検査情報を登録する処理を処理部４０に実行させる患者・検査登録アプリケーション、患者情報を修正する処理を処理部４０に実行させる患者情報修正アプリケーション、医用画像を表示部１０に表示させる画像ビューアアプリケーション、医用画像をフィルムに印刷させるフィルミングアプリケーション、臨床を支援する臨床アプリケーション、及び診断レポートの作成を支援する診断レポートアプリケーションを記憶している。フィルミングアプリケーションに応じた処理を実行する場合、処理部４０は、送受信部３０を制御して、医用画像を印刷装置２００に送信させる。
【００２２】
この処理部４０は、アプリケーションに応じた各種処理の実行中、エラー状態や警告状態が発生すると、このエラー状態や警告状態を示すステータスコードを出力する。また、印刷処理の際にエラー状態や警告状態が発生すると、印刷装置２００からエラー状態や警告状態を示すステータスコードがネットワークＮと送受信部３０を介して医用情報表示装置１に入力される。表示制御部２０は、ダイアログ表示制御部２２を有しており、エラー状態や警告状態を示すステータスコードが発生すると、このエラー状態や警告状態を示す文字列を表示したウィンドウである報知ダイアログ２２１（図２参照）の画像を生成して表示部１０に表示させる。
【００２３】
エラー状態は、印刷エラーや空きディスク容量エラー等の処理に失敗した状態である。例えば、印刷装置２００に収容されている印刷用紙が不足していると、医用画像を印刷する処理が実行不可能であるため、印刷エラーを示すステータスコードが出力される。また、データを保存させようとしたときに、ディスク容量が不足しているため、そのデータの保存処理が実行不可能である場合、空きディスク容量エラーを示すステータスコードが出力される。
【００２４】
警告状態は、検索等の処理は終了したがその処理結果に警告を要する状態、または検索等の処理をする前提となる入力が不正である旨の警告を要する状態である。例えば、任意の検索キーが入力されて、その検索キーに対応する医用画像を検索したが、検索キーに対応する医用画像が検出されなかった場合、検索警告が出力される。また、任意の検索キーの書式が定義されている書式と異なっている場合、検索警告が出力される。
【００２５】
ステータスコードは、エラー状態や警告状態等のアプリケーションの状態即ちステータスを識別するステータス識別情報である。
【００２６】
ダイアログ表示制御部２２は、このエラー状態や警告状態を示すステータスコードが発生すると、ステータスコードに応じた文字列を表示した報知ダイアログ２２１を生成して表示部１０に表示させる。この文字列は、予めステータスコードと対応付けて記憶されている。一方、ダイアログ表示制御部２２は、事前登録された種類のアプリケーションが起動されている場合には、報知ダイアログ２２１を表示しない。
【００２７】
医用情報表示装置１は、設定部６０と操作部７０を有しており、報知ダイアログ２２１を表示しない条件は、この設定部６０により事前設定される。操作部７０は、マウスやキーボードやトラックボール等のマンマシン入力インターフェースである。設定部６０は、操作部７０の操作に応じて報知ダイアログ２２１を表示しない条件を事前設定する。事前設定は、設定部６０によって抑制条件テーブル記憶部６１と抑制ステータステーブル記憶部６２に条件を記憶することにより行われる。
【００２８】
ダイアログ表示制御部２２は、事前設定された条件を参照して、条件を満たしていれば、報知ダイアログ２２１を表示しない。このダイアログ表示制御部２２は、検知部２３と抑制表示制御部２４と状態表示制御部２５とを有する。
【００２９】
検知部２３は、設定部６０による事前設定された条件の適合を検知する。検知部２３による検知があると、ダイアログ表示制御部２２は、報知ダイアログ２２１を表示しない。この検知部２３は、抑制条件テーブル記憶部６１と抑制ステータステーブル記憶部６２に記憶されている条件とステータスコードが一致するか判断し、一致することをもって検知となる。
【００３０】
図２は、抑制条件テーブル記憶部６１に記憶されている第１の実施形態に係る抑制条件テーブル６１１を示すデータ構造図である。
【００３１】
抑制条件テーブル記憶部６１は、抑制条件テーブル６１１を記憶している。この抑制条件テーブル６１１は、どのアプリケーションが起動しているときに報知ダイアログ２２１を表示しないかを定義する。
【００３２】
この抑制条件テーブル６１１には、報知ダイアログ２２１を表示しないアプリケーションに対応する抑制アプリケーションＩＤ６１２がデータとして記憶されている。抑制アプリケーションＩＤ６１２は、報知ダイアログ２２１を表示しないアプリケーションを識別するアプリケーション識別情報である。
【００３３】
抑制条件テーブル６１１には、患者・検査登録アプリケーションを示す抑制アプリケーションＩＤ６１２、患者情報修正アプリケーションを示すアプリケーションＩＤ６１２、画像ビューアを示す抑制アプリケーションＩＤ６１２、フィルミングアプリケーションを示す抑制アプリケーションＩＤ６１２、臨床アプリケーションを示す抑制アプリケーションＩＤ６１２、又は診断レポートアプリケーションを示す抑制アプリケーションＩＤ６１２等の処理部４０及びネットワークＮやローカル接続によって接続された印刷装置２００等の外部装置で実行されるアプリケーションに対応するアプリケーションＩＤのうち、報知ダイアログ２２１を表示しないアプリケーションとして事前設定されたものが記憶される。
【００３４】
例えば、画像ビューアを示す抑制アプリケーションＩＤ６１２や、臨床アプリケーションを示す抑制アプリケーションＩＤ６１２や、診断レポートアプリケーションを示す抑制アプリケーションＩＤ６１２が記憶される。患者を診察する場面では、画像ビューアや臨床アプリケーションや診断レポートアプリケーションが起動されている場合があり、このような場面で報知ダイアログ２２１が表示されると、その画面を見た患者が不安を感じることがあるためである。
【００３５】
また、図３は、抑制ステータステーブル記憶部６２に記憶されている抑制ステータステーブル６２１を示すデータ構造図である。
【００３６】
抑制ステータステーブル記憶部６２は、抑制ステータステーブル６２１を記憶している。この抑制ステータステーブル６２１は、どのステータスコードが発生した場合、即ちどのエラー状態や警告状態が生じたときに報知ダイアログ２２１を表示しないかを定義する。
【００３７】
この抑制ステータステーブル６２１には、報知ダイアログ２２１を表示しないエラー状態又は警告状態に対応するステータスコードである抑制ステータスコード６２２がデータとして記憶されている。抑制ステータスコード６２２は、報知ダイアログ２２１を表示しないエラー状態又は警告状態に対応するステータスコードを識別するステータス識別情報である。
【００３８】
例えば、抑制ステータステーブル６２１には、印刷エラーを示す抑制ステータスコード６２２、空きディスク容量エラーを示す抑制ステータスコード６２２、又は検索警告を示す抑制ステータスコード６２２等の処理部４０及びネットワークＮやローカル接続によって接続された印刷装置２００等の外部装置で発生しうるエラー状態又は警告状態のうち、報知ダイアログ２２１を表示しないエラー状態又は警告状態に対応するステータスコードとして事前設定された者が記憶される。
【００３９】
検知部２３は、ステータスコードが発生したとき、起動しているアプリケーションのアプリケーションＩＤが抑制条件テーブル６１１に記憶されているか判断し、さらに発生したステータスコードが抑制ステータステーブル６２１に記憶されているか判断する。そして、検知部は、起動しているアプリケーションのアプリケーションＩＤが抑制アプリケーションＩＤ６１２として登録されており、かつ発生したステータスコードが抑制ステータスコード６２２として登録されていると、条件の適合を検知する。
【００４０】
抑制表示制御部２４は、報知ダイアログ２２１の一部の種類が表示されない状況にあると、抑制マーク２４１（図８参照）を生成して、表示部１０に表示させる。この抑制表示制御部２４は、起動されたアプリケーションが事前設定された報知ダイアログ２２１を表示させないアプリケーションであると、この抑制マーク２４１を表示させる。詳しくは、抑制表示制御部２４は、検知部２３により、起動したアプリケーションのアプリケーションＩＤが抑制アプリケーションＩＤ６１２として登録されていることが検知されると、抑制マーク２４１を表示させる。
【００４１】
状態表示制御部２５は、エラー状態又は警告状態を示すステータスコードが発生したが、報知ダイアログ２２１を表示させない場合に、抑制マーク２４１を強調させる（図９参照）。抑制マーク２４１の強調は、例えば、抑制マーク２４１を点滅させる。例えば、黄色に配色された抑制マーク２４１とグレーで配色された抑制マーク２４１を一定時間毎に交互に入れ換えて表示部１０に表示させる。
【００４２】
図４は、この第１の実施形態に係る医用情報表示装置１の報知ダイアログ２２１の表示処理を示すフローチャートである。
【００４３】
まず、操作部７０を用いた操作に応じて処理部４０がアプリケーションを起動すると（Ｓ０１）、検知部２３は、起動されたアプリケーションが報知ダイアログ２２１を表示しない対象となっていることを検知する（Ｓ０２）。
【００４４】
このＳ０２における検知では、検知部２３は、操作部７０を用いた操作によって特定されるアプリケーションのアプリケーションＩＤと一致する抑制アプリケーションＩＤ６１２を抑制条件テーブル記憶部６１に記憶されている抑制条件テーブル６１１から検索する。そして、該当する抑制アプリケーションＩＤ６１２が抑制条件テーブル６１１から検出されることをもって、報知ダイアログ２２１を表示しない対象となっていることの検知となる。
【００４５】
起動されたアプリケーションが報知ダイアログ２２１を表示しない対象となっていることを検知すると（Ｓ０２，Ｙｅｓ）、抑制表示制御部２４は、抑制マーク２４１を表示部１０に表示させる（Ｓ０３）。詳しくは、抑制マーク２４１の画像を生成して画面の画像に合成し、表示部１０に出力する。
【００４６】
アプリケーションが起動され、必要に応じて抑制マーク２４１が表示されると、表示制御部２０は、ステータスコードが発生するまで報知ダイアログ２２１の表示に関する処理を待機する（Ｓ０４，Ｎｏ）。
【００４７】
処理部４０による処理によってエラー状態又は警告状態が発生し、又は印刷装置２００等の外部装置の処理によってエラー状態又は警告状態が発生し、エラー状態又は警告状態を示すステータスコードが発生すると（Ｓ０４，Ｙｅｓ）、ダイアログ表示制御部２２は、報知ダイアログ２２１の表示判断とその判断結果に応じた表示処理を行う。
【００４８】
エラー状態又は警告状態を示すステータスコードが発生すると、検知部２３は、まず報知ダイアログ２２１を表示しない対象となっているアプリケーションの起動を検知する（Ｓ０５）。
【００４９】
このＳ０５の検知では、検知部２３は、起動しているアプリケーションに対応するアプリケーションＩＤと一致する抑制アプリケーションＩＤ６１２を抑制条件テーブル記憶部６１に記憶されている抑制条件テーブル６１から検索する。そして、該当する抑制アプリケーションＩＤ６１２が抑制条件テーブル記憶部６１１から検出されることをもって、報知ダイアログ２２１を表示しない対象となっているアプリケーションが起動していることの検知となる。
【００５０】
検知部２３により、報知ダイアログ２２１を表示しない対象となっているアプリケーションが起動されていなかったときは（Ｓ０５，Ｎｏ）、ダイアログ表示制御部２２は、発生したステータスコードに対応する報知ダイアログ２２１を表示部１０に表示させる（Ｓ０７）。このとき、ダイアログ表示制御部２２は、発生したステータスコードに対応する文字列を表示したウィンドウの画像を生成して画面の画像に合成し、表示部１０に出力する。
【００５１】
一方、報知ダイアログ２２１を表示しない対象となっているアプリケーションが起動されていることが検知されると（Ｓ０５，Ｙｅｓ）、検知部２３は、発生したステータスコードが抑制対象となっていることをさらに検知する（Ｓ０６）。
【００５２】
このＳ０６の検知では、検知部２３は、発生したステータスコードと一致する抑制ステータスコード６２２を抑制ステータステーブル記憶部６２に記憶されている抑制ステータステーブル６２１から検索する。そして、該当する抑制ステータスコード６２２が抑制ステータステーブル記憶部６２から検出されることをもって、報知ダイアログ２２１を表示対象としない対象となっているステータスコードであることの検知となる。
【００５３】
検知部２３により、ステータスコードが抑制対象でなかったときは（Ｓ０６，Ｎｏ）、ダイアログ表示制御部２２は、発生したステータスコードに対応する報知ダイアログ２２１を表示部１０に表示させる（Ｓ０７）。
【００５４】
一方、報知ダイアログ２２１を表示しない対象となっているアプリケーションが起動していることの検知に加えて（Ｓ０５，Ｙｅｓ）、ステータスコードが報知ダイアログ２２１を表示しない対象となっているステータスコードであることが検知されると（Ｓ０６，Ｙｅｓ）、状態表示制御部２５は、抑制マーク２４１を強調表示させる（Ｓ０８）。このとき、ダイアログ表示制御部２２は、報知ダイアログ２２１を表示する処理は行わない。
【００５５】
このＳ０４〜Ｓ０８の報知ダイアログ２２１の表示処理は、アプリケーションが終了するまで継続され（Ｓ０９，Ｎｏ）、アプリケーションが終了すると（Ｓ０９，Ｙｅｓ）、報知ダイアログ２２１の表示処理は終了する。
【００５６】
このような医用情報表示装置１の具体的な動作例を図５乃至図９に示す。
【００５７】
図５は、報知ダイアログ２２１を表示させない対象となるアプリケーションを設定するための設定ウィンドウ６０１を示す模式図である。
【００５８】
操作部７０を用いて報知ダイアログ２２１を表示させない対象となるアプリケーションを設定する操作がなされると、設定部６０は、表示部１０に設定ウィンドウ６０１を表示させる。この操作は、例えば、予め対応付けられたキーボード上の所定キーの押下、又は画面上に予め表示された所定ボタンのマウスカーソルによりクリックである。
【００５９】
設定ウィンドウ６０１には、各種のアプリケーションを識別する文字列と、その文字列毎にチェックボックス６０２を表示する。チェックボックス６０２は、それぞれアプリケーションＩＤと予め対応付けられている。
【００６０】
操作者が操作部７０を用いてチェックボックス６０２にチェックを入れると、設定部６０は、チェックされたチェックボックス６０２に対応するアプリケーションＩＤを、抑制条件テーブル記憶部６１の抑制条件テーブル６１１に記憶させる。
【００６１】
図６は、報知ダイアログ２２１の表示が抑制されるステータスを設定するための設定ウィンドウ６０３を示す模式図である。
【００６２】
操作部７０を用いて報知ダイアログ２２１を表示させない対象となるステータスコードを設定する操作がなされると、設定部６０は、表示部１０に設定ウィンドウ６０３を表示させる。この操作は、例えば、予め対応付けられたキーボード上の所定キーの押下、又は画面上に予め表示された所定ボタンのマウスカーソルによりクリックである。
【００６３】
設定ウィンドウ６０３には、各種のエラー状態又は警告状態を識別する文字列と、その文字列毎にチェックボックス６０４を表示する。チェックボックス６０２は、それぞれステータスコードと予め対応付けられている。
【００６４】
操作者が操作部７０を用いてチェックボックス６０４にチェックを入れると、設定部６０は、チェックされたチェックボックス６０４に対応するステータスコードを、抑制ステータステーブル記憶部６２の抑制ステータステーブル６２１に記憶させる。
【００６５】
このアプリケーションＩＤの抑制条件テーブル６１１への登録及びステータスコードの抑制ステータステーブル６２１への登録により、報知ダイアログ２２１を表示させないアプリケーション及びステータスコードの事前設定が完了する。
【００６６】
図７は、報知ダイアログ２２１の表示が抑制されない場合の画面を示す模式図である。
【００６７】
エラー状態又は警告状態を示すステータスコードが発生したが、検知部２３による報知ダイアログ２２１を表示させない条件の適合が検知されなかった場合、画面には、エラー状態又は警告状態を示す報知ダイアログ２２１が表示される。即ち、抑制条件テーブル６１１に登録されたアプリケーションが起動されていないか、又は発生したステータスコードが抑制ステータステーブル６２１に登録されたエラー状態又は警告状態ではない場合は、この報知ダイアログ２２１が表示される。
【００６８】
図８は、報知ダイアログ２２１を表示させない条件の一つである抑制条件テーブル６１１に登録されたアプリケーションが起動されている場合の画面を示す模式図である。
【００６９】
アプリケーションが起動され、そのアプリケーションが抑制条件テーブル６１１に登録されたアプリケーションであることを検知部２３が検知すると、抑制表示制御部２４は、抑制マーク２４１を表示させる。たとえば、抑制マーク２４１は、目立ちにくい画面の片隅に合成して表示させる。この抑制マーク２４１が表示されると、起動されたアプリケーションでは、報知ダイアログ２２１が表示されないことがわかる。
【００７０】
図９は、エラー状態又は警告状態が発生したが、報知ダイアログ２２１を表示させない場合の画面を示す模式図である。
【００７１】
本実施形態において、報知ダイアログ２２１を表示させない条件は、抑制条件テーブル６１１に登録されたアプリケーションの起動、かつ抑制ステータステーブル６２１に登録されたエラー状態又は警告状態の発生である。従って、エラー状態又は警告状態が発生しなくとも、起動されたアプリケーションが抑制条件テーブル６１１に登録されたアプリケーションである場合には、抑制マーク２４１が表示される。
【００７２】
そして、この状態で、抑制ステータステーブル６２１に登録されたエラー状態又は警告状態が生じると、検知部２３が条件の適合を検知し、この検知を受けて状態表示制御部２５が抑制マーク２４１を点滅させる。この抑制マーク２４１の強調表示により、エラー状態又は警告状態が発生したことを目立つことなく報知する。
【００７３】
上述のように、本実施形態に係る医用情報表示装置１では、報知ダイアログ２２１を表示させないアプリケーションが起動され、かつ報知ダイアログ２２１を表示させないエラー状態や警告状態のときに、報知ダイアログ２２１を表示しないようにしたが、報知ダイアログ２２１を表示させないアプリケーションが起動されていれば、どのようなエラー状態又は警告状態であろうとも報知ダイアログ２２１を表示しないようにしてもよい。即ち、抑制条件テーブル６１１に登録されているアプリケーションが起動されていれば、一律に報知ダイアログ２２１を表示しないようにしてもよい。
【００７４】
（第２の実施形態）
図１０は、第２の実施形態に係る医用情報表示装置１の構成を示す模式図である。尚、第１の実施形態と同一機能を有する構成については、同一符号を付して詳細な説明を省略する。
【００７５】
この第２の実施形態に係る医用情報表示装置１は、医用情報を表示するモードを抑制の条件とする。医用情報表示装置１は、各種モードの切り替えが可能にキーボードのキーや画面上のボタンが対応付けられており、対応付けられたキーやボタンを押下すると、その対応するモードに切り替えて医用情報を表示する。
【００７６】
モードとしては、医師・臨床技師向けモード、サービスマン向けモード、及び看護師・事務スタッフ向けモードが少なくも存在する。このモードに応じて医用情報表示装置１は、医用情報を表示する画面の配色を切り替えて表示させる。
【００７７】
第２の実施形態に係る医用情報表示装置１は、モードが抑制対象として登録され、登録されたモードに切り替えられると、報知ダイアログ２２１を表示しない。
【００７８】
この医用情報表示装置１において、医用情報表示制御部２１は、画面色パターン選出部と画面色パターン管理テーブル記憶部２１２を有する。また、画面情報記憶部５０は、画面のアイコン及びテンプレートを記憶するテンプレート記憶部５０１、患者情報を記憶する患者情報記憶部５０３、医用情報を記憶する医用情報記憶部５０４の他に、画面色パターン記憶部５０２を有する。
【００７９】
医用情報表示制御部２１は、テンプレート記憶部５０１に記憶されたテンプレートのデータを読み出して、患者情報記憶部５０３に記憶された患者情報と、医用情報記憶部５０４に記憶された医用情報をこのテンプレート上に配置することで、画面の画像を作成する。さらに、医用情報表示制御部２１は、画面色パターン記憶部５０２に記憶された画面色パターンで画面を配色する。
【００８０】
画面色パターン選出部２１１は、画面を配色する画面色パターンを、入力されたモードに応じて選出する。画面色パターン記憶部５０２には、複数の画面色パターンが記憶されている。尚、検知部２３は、抑制対象として登録されたモードの検知手法の一例として、本実施形態では、モードに対応して変更される画面色パターンを判断対象とする。
【００８１】
図１１は、画面色パターンを示す情報を示すデータ構造図である。
【００８２】
画面色パターン記憶部５０２には、それぞれ異なった色調を示す複数の画面色パターンが記憶されている。この画面色パターン記憶部５０２には、暗色の画面色パターン５０２ａ、中間色の画面色パターン５０２ｂ、及び明色の画面色パターン５０２ｃが記憶されている。それぞれの画面色パターン５０２ａ，５０２ｂ，５０２ｃには、画面色パターンを識別する画面色パターン識別情報である画面色ＩＤ２１１ａが付されている。
【００８３】
それぞれの画面色パターン５０２ａ，５０２ｂ，５０２ｃは、各オブジェクトの配色情報が記憶されている。具体的には、背景、前景、編集可能文字、編集不可文字、フォーカス位置、ＩＤで示される各ボックス、及び患者入力ボックス等のテンプレートに配置される各種のオブジェクトの配色情報が記憶されている。配色情報は、Ｒ（レッド）Ｇ（グリーン）Ｂ（ブルー）の３色の各階調値で示されている。
【００８４】
医用情報表示制御部２１は、この画面色パターン記憶部５０２から画面色パターン選出部２１１が選出した暗色の画面色パターン５０２ａ、中間色の画面色パターン５０２ｂ、又は明色の画面色パターン５０２ｃの何れかを読み出し、読み出した画面色でオブジェクトを配色することで、画面を生成する。
【００８５】
画面色パターン選出部２１１は、操作部７０を用いて入力されたモードに基づき、画面色パターン管理テーブル記憶部２１２に記憶されている画面色パターン管理テーブルを参照することで、画面色パターンを選出する。
【００８６】
図１２は、画面色パターン管理テーブルを示すデータ構造図である。
【００８７】
画面色パターン管理テーブルは、画面色パターンを管理するテーブルであり、各種のモードを識別するモード識別情報２１１ｂと画面色パターンを識別する画面色ＩＤ２１１ａとを１対１で対応付けている。
【００８８】
具体的には、医師・臨床検査技師向けモードを識別するモード識別情報２１１ｂには、暗色の画面色パターン５０２ａを識別する画面色ＩＤ２１１ａが対応付けられている。サービスマン向けモードを識別するモード識別情報２１１ｂには、中間色の画面色パターン５０２ｂを識別する画面色ＩＤ２１１ａが対応付けられている。看護師・事務スタッフ向けモードを識別するモード識別情報２１１ｂには、明色の画面色パターン５０２ｃを識別する画面色ＩＤ２１１ａが対応付けられている。
【００８９】
画面色パターン選出部２１１は、操作部７０を用いて入力されたモードに対応する画面色ＩＤ２１１ａを画面色パターン管理テーブル記憶部２１２から読み出すことで画面色パターンを選出し、その画面色ＩＤ２１１ａで識別される画面色パターンを医用情報表示制御部２１に指示する。この指示は、例えば、ワークメモリに読み出した画面色ＩＤ２１１ａを医用情報表示制御部２１が参照可能に格納させておくことでなされる。
【００９０】
ここで、検知部２３は、ワークメモリに格納された画面色ＩＤ２１１ａと図１３に示す第２の実施形態に係る抑制条件テーブル６１３を参照することで登録されたモードに応じた医用情報の表示を検知する。
【００９１】
図１３は、第２の実施形態に係る抑制条件テーブル６１３を示すデータ構造図である。
【００９２】
この係る抑制条件テーブル６１３は、報知ダイアログ２２１の表示を抑制する対象となるモードを、抑制する対象となるモードと関連する画面色ＩＤ２１１ａによって定義している。即ち、この抑制条件テーブル６１３は、どのモードで医用情報を表示しているときに報知ダイアログ２２１を表示しないかを、どの画面色パターンで配色されているときに報知ダイアログ２２１を表示しないかによって定義する。
【００９３】
この抑制条件テーブル６１３には、報知ダイアログ２２１を表示しないモードに対応する画面色ＩＤ２１１ａがデータとして記憶されている。
【００９４】
抑制条件テーブル６１３には、医師・臨床検査技師向けモードの画面色である暗色の画面色パターン５０２ａを示す画面色ＩＤ２１１ａ、サービスマン向けモードの画面色である中間色の画面色パターン５０２ｂを示す画面色ＩＤ２１１ａ、看護師・事務スタッフ向けモードの画面色である明色の画面色パターン５０２ｃを示す画面色ＩＤ２１１ａ等の入力されうる各種モードのうち、報知ダイアログ２２１を表示しないモードに対応する画面色パターンとして事前設定されたものが記憶される。
【００９５】
例えば、看護師・事務スタッフ向けモードの画面色である明色の画面色パターン５０２ｃを示す画面色ＩＤ２１１ａが記憶される。明るい待合室や受付けや診察室等では、看護師・事務スタッフ向けモードで医用情報表示装置１を動作させることで、明色の画面色パターン５０２ｃで医用情報を表示させる画面を配色する場合が多い。そして、このような場所は患者と接する場所でもあり、このような場面で報知ダイアログ２２１が表示されると、その画面を見た患者が不安を感じることがあるためである。
【００９６】
検知部２３は、医用情報を表示させているモードが切り替えられたとき、切り替えられたモードに対応する画面色ＩＤ２１１ａが抑制条件テーブル６１３に記憶されているか判断する。そして、検知部２３は、切り替えられたモードに対応する画面色ＩＤ２１１ａが登録されていると、抑制マーク２４１の表示条件の適合を検知する。検知部２３のこの検知があると、状態表示制御部２５は、抑制マーク２４１を表示させる。
【００９７】
また、検知部２３は、ステータスコードが発生したとき、医用情報を表示させているモードに対応する画面色ＩＤ２１１ａが抑制条件テーブル６１３に記憶されているか判断し、さらに発生したステータスコードが抑制ステータステーブル６２１に記憶されているか判断する。そして、検知部２３は、起動しているアプリケーションのアプリケーションＩＤが抑制アプリケーションＩＤ６１２として登録されており、かつ発生したステータスコードが抑制ステータスコード６２２として登録されていると、報知ダイアログ２２１を表示させない条件の適合を検知する。検知部２３のこの検知があると、ダイアログ表示制御部２２は、報知ダイアログ２２１を表示しない。
【００９８】
図１４は、この第２の実施形態に係る医用情報表示装置の報知ダイアログ２２１の表示処理を示すフローチャートである。
【００９９】
操作部７０を用いて各種モードのうちの何れかが入力されると（Ｓ１１）、画面色パターン選出部２１１は、入力されたモードを識別するモード識別情報２１１ｂに対応する画面色ＩＤ２１１ａを画面色パターン選出部２１１から読み出す（Ｓ１２）。
【０１００】
また、医用情報表示制御部２１は、画面情報記憶部５０からテンプレート、アイコン、患者情報、医用画像等の各種オブジェクトの画面情報を読み出し（Ｓ１３）、さらに読み出された画面色ＩＤ２１１ａで識別される画面色パターンを画面色パターン記憶部５０２から読み出す（Ｓ１４）。
【０１０１】
そして、医用情報表示制御部２１は、読み出した画面色パターンで各種オブジェクトを着色することで画面の画像を生成する（Ｓ１５）。医用情報表示制御部２１は、この画面の画像を表示部１０に出力することによって、入力されたモードに対応して着色された医用情報の画面を表示部１０に表示させる（Ｓ１６）。
【０１０２】
検知部２３は、入力されたモードが報知ダイアログ２２１を表示しない対象となっていることを検知する（Ｓ１７）。
【０１０３】
このＳ１７における検知では、検知部２３は、画面色パターン選出部２１１が選出した画面色パターンの画面色ＩＤ２１１ａを抑制条件テーブル６１３から検索する。そして、該当する画面色ＩＤ２１１ａが抑制条件テーブル６１３から検出されることをもって、報知ダイアログ２２１を表示しない対象となっていることの検知となる。
【０１０４】
入力されたモードが報知ダイアログ２２１を表示しない対象となっていることを検知すると（Ｓ１７，Ｙｅｓ）、抑制表示制御部２４は、抑制マーク２４１を表示部１０に表示させる（Ｓ１８）。そして、表示制御部２０は、ステータスコードが発生するまで報知ダイアログ２２１の表示に関する処理を待機する（Ｓ１９，Ｎｏ）。
【０１０５】
処理部４０による処理によってエラー状態又は警告状態が発生し、又は印刷装置２００等の外部装置の処理によってエラー状態又は警告状態が発生し、エラー状態又は警告状態を示すステータスコードが発生すると（Ｓ１９，Ｙｅｓ）、検知部２３は、まず報知ダイアログ２２１を表示しない対象となっているモードでの医用情報の表示を検知する（Ｓ２０）。
【０１０６】
このＳ２０の検知では、検知部２３は、動作しているモードに対応する画面色ＩＤ２１１ａを抑制条件テーブル６１３から検索する。そして、該当する画面色ＩＤ２１１ａが抑制条件テーブル記憶部６１から検出されることをもって、報知ダイアログ２２１を表示対象としない対象となっているモードで医用情報が表示中であることの検知となる。
【０１０７】
検知部２３により、報知ダイアログ２２１を表示しない対象となっているモードで医用情報が表示中であるとされていなかったときは（Ｓ２０，Ｎｏ）、ダイアログ表示制御部２２は、発生したステータスコードに対応する報知ダイアログ２２１を表示部１０に表示させる（Ｓ２２）。
【０１０８】
一方、報知ダイアログ２２１を表示しない対象となっているモードで医用情報が表示中であることが検知されると（Ｓ２０，Ｙｅｓ）、検知部２３は、発生したステータスコードが抑制対象となっていることをさらに検知する（Ｓ２１）。検知部２３により、ステータスコードが抑制対象でなかったときは（Ｓ２１，Ｎｏ）、ダイアログ表示制御部２２は、発生したステータスコードに対応する報知ダイアログ２２１を表示部１０に表示させる（Ｓ２２）。
【０１０９】
一方、報知ダイアログ２２１を表示しない対象となっているモードで医用情報を表示中であることの検知に加えて（Ｓ２０，Ｙｅｓ）、ステータスコードが報知ダイアログ２２１を表示しない対象となっているステータスコードであることが検知されると（Ｓ２１，Ｙｅｓ）、状態表示制御部２５は、抑制マーク２４１を強調表示させる（Ｓ２３）。このとき、ダイアログ表示制御部２２は、報知ダイアログ２２１を表示する処理は行わない。
【０１１０】
このＳ１９〜Ｓ２３の報知ダイアログ２２１の表示処理は、モードが新たに切り替えられるまで継続され（Ｓ２４，Ｎｏ）、モードが切り替えられると（Ｓ２４，Ｙｅｓ）、報知ダイアログ２２１の表示処理は終了して、新たにＳ１１から処理を実行する。
【０１１１】
尚、この抑制条件テーブル６１３に登録される画面色ＩＤ２１１ａも設定部６０が設定ウィンドウ６０１を表示させて操作部７０の操作に応じて記憶させる。設定ウィンドウ６０１には、各種モードを表す文字列と対応するチェックボックス６０２が表示され、チェックされたチェックボックス６０２に対応するモードに対応する画面色ＩＤ２１１ａを記憶させる。
【０１１２】
この第２の実施形態に係る医用情報表示装置１では、第１の実施形態と同様に、報知ダイアログ２２１を表示させないモードで動作中であれば、どのようなエラー状態又は警告状態であろうとも報知ダイアログ２２１を表示しないようにしてもよい。即ち、抑制条件テーブル６１３に登録されている画面色ＩＤ２１１ａに対応するモードで動作していれば、一律に報知ダイアログ２２１を表示しないようにしてもよい。
【０１１３】
また、入力されたモードの識別は、本実施形態のように各モードに対応する画面色パターンに基づき行い、所定の画面色パターンであれば、報知ダイアログ２２１を表示させないようにしてもよいが、その他にも、入力されたモードを識別するモード識別情報２１１ｂにより行うようにしてもよい。この場合、抑制条件テーブル６１３には、モード識別情報２１１ｂが記憶される。
【０１１４】
また、入力されたモードの識別は、モードに対応する端末情報に基づき行ってもよい。
【０１１５】
この場合、モードは、医用情報表示装置１が設置される場所に応じて設定される。例えば、患者と接する機会のある受付けや待合室や診察室に設置されている医用情報表示装置１では、看護師・事務スタッフ向けモードによる明色で医用情報が表示され、患者と接する機会の少ない読影室や撮影室に設置されている医用情報表示装置１では、医師・臨床技師向けモードによる暗色で医用情報が表示される。
【０１１６】
抑制条件テーブル６１３には、医用情報表示装置１を識別する装置名やＩＰアドレスやＡＥタイトルやステーション名等の端末情報を記憶させておく。そして、検知部２３は、医用情報表示装置１の端末情報を取得し、取得した端末情報が抑制条件テーブル６１３に記憶されていれば、報知ダイアログ２２１を表示しないモードで医用情報が表示されていることを検知する。
【０１１７】
また、入力されたモードの識別は、モードに対応する役割情報に基づき行ってもよい。
【０１１８】
この場合、モードは、医用情報表示装置１にログインした者の役割に応じて設定される。役割とは、医師、臨床技師、サービスマン、看護師、事務スタッフ等で区別される職種である。例えば、患者が共に画面を見る可能性のある看護師や医師や事務スタッフがログインした場合では、医師・看護師・事務スタッフ向けモードによる明色で医用情報が表示され、患者が共に画面を見る機会の少ない臨床技師やサービスマンがログインした場合では、臨床技師・サービスマン向けモードによる暗色又は中間色で医用情報が表示される。役割情報は、予めログインＩＤと関連付けておき、ログイン時に入力されたログインＩＤに関連付けられた役割情報を取得する。
【０１１９】
抑制条件テーブル６１３には、医師や看護士や事務スタッフを識別する役割情報を記憶させておく。そして、検知部２３は、ログイン時に役割情報を取得し、取得した役割情報が抑制条件テーブル６１３に記憶されていれば、報知ダイアログ２２１を表示しないモードで医用情報が表示されていることを検知する。
【０１２０】
（第３の実施形態）
第３の実施形態に係る医用情報表示装置１は、所定キーの入力操作を抑制の条件とする。この医用情報表示装置１の検知部２３は、所定キーの入力操作を監視しており、この入力操作を検知する。そして、この入力操作が検知されると、ダイアログ表示制御部２２は、抑制ステータステーブル６２１に登録されているエラー状態又は警告状態の報知ダイアログ２２１については表示しない。所定キーは、例えば、設定部６０により登録された図１５に示すショートカットキー６１５である。
【０１２１】
図１５は、報知ダイアログ２２１の表示を抑制するショートカットキー６１５を示す第３の実施形態に係る抑制条件テーブル６１４を示すデータ構造図である。
【０１２２】
抑制条件テーブル記憶部６１に記憶される抑制条件テーブル６１４には、事前にショートカットキー６１５が登録される。ショートカットキー６１５は、例えば、（Ｃｔｒｌ＋Ａ）である。
【０１２３】
検知部２３は、抑制条件テーブル６１４を参照してショートカットキー６１５に対応するキー入力を検知し、この検知がなされると、報知ダイアログ２２１の非表示及び抑制マーク２４１の表示がなされる。尚、検知部２３は、最初にショートカットキー６１５に対応するキー入力を検知すると、フラグ６１６を記憶させる。また、予め登録されている報知ダイアログ２２１の表示の抑制を解除する所定キーの入力を検知すると、フラグ６１６を消去する。このフラグ６１６は、ワークメモリに記憶させても抑制条件テーブル６１４に記憶させてもよい。
【０１２４】
検知部２３は、最初にショートカットキー６１５の押下を検知した後は、フラグ６１６の有無を検出することをもってショートカットキー６１５に対応するキー入力の検知とする。
【０１２５】
図１６は、報知ダイアログ２２１の表示を抑制するショートカットキー６１５を事前設定するための設定ウィンドウ６０３を示す模式図である。
【０１２６】
設定部６０は、ショートカットキー６１５の事前設定のために表示部１０に設定ウィンドウ６０３を表示させる。この設定ウィンドウ６０３には、ショートカットキー６１５を入力するためのフィールド６０５が表示されている。このフィールド６０５は、例えば、ショートカットキー６１５として設定するキーを選択するためのチェックボックスやプルダウンメニューである。
【０１２７】
操作部７０を用いてフィールド６０５からキーを選択すると、選択されたキーがショートカットキー６１５として抑制条件テーブル６１４に登録される。尚、この報知ダイアログ２２１の表示の抑制を解除する所定キーの登録もこの設定部６０により行われる。
【０１２８】
図１７は、この第３の実施形態に係る医用情報表示装置１の報知ダイアログ２２１の表示処理を示すフローチャートである。
【０１２９】
検知部２３は、操作部７０を用いてキー入力がなされると（Ｓ３１）、入力されたキーが報知ダイアログ２２１を表示しない対象となっていることを検知する（Ｓ３２）。
【０１３０】
このＳ３１における判断では、検知部２３は、入力されたキーと一致するショートカットキー６１５を抑制条件テーブル６１４から検索する。そして、該当するショートカットキー６１５が抑制条件テーブル６１３から検出されることをもって、報知ダイアログ２２１を表示しない対象となっていることの検知となる。
【０１３１】
事前設定されたショートカットキー６１５に対応するキーが押下され、報知ダイアログ２２１を表示しない対象となっていることを検知すると（Ｓ３２，Ｙｅｓ）、検知部２３は、ショートカットキー６１５に対応するキーが入力されたことを示すフラグを立てる（Ｓ３３）。そして、抑制表示制御部２４は、抑制マーク２４１を表示部１０に表示させる（Ｓ３４）。そして、表示制御部２０は、ステータスコードが発生するまで報知ダイアログ２２１の表示に関する処理を待機する（Ｓ３５，Ｎｏ）。
【０１３２】
処理部４０による処理によってエラー状態又は警告状態が発生し、又は印刷装置２００等の外部装置の処理によってエラー状態又は警告状態が発生し、エラー状態又は警告状態を示すステータスコードが発生すると（Ｓ３５，Ｙｅｓ）、検知部２３は、まず報知ダイアログ２２１を表示しない対象となっているショートカットキー６１５の入力を検知する（Ｓ３６）。
【０１３３】
このＳ３６の検知では、検知部２３は、ショートカットキー６１５に相当するキーが入力されたことを示すフラグを検出する。このフラグが検出されることをもって、報知ダイアログ２２１を表示しない対象となっているショートカットキー６１５に相当するキー入力がされていることの検知となる。
【０１３４】
検知部２３により、報知ダイアログ２２１を表示しない対象となっているショートカットキー６１５に相当するキー入力がされていなかったときは（Ｓ３６，Ｎｏ）、ダイアログ表示制御部２２は、発生したステータスコードに対応する報知ダイアログ２２１を表示部１０に表示させる（Ｓ３８）。
【０１３５】
一方、報知ダイアログ２２１を表示しない対象となっているショートカットキー６１５に相当するキー入力がされていることが検知されると（Ｓ３６，Ｙｅｓ）、検知部２３は、発生したステータスコードが抑制対象となっていることをさらに検知する（Ｓ３７）。検知部２３により、ステータスコードが抑制対象でなかったときは（Ｓ３７，Ｎｏ）、ダイアログ表示制御部２２は、発生したステータスコードに対応する報知ダイアログ２２１を表示部１０に表示させる（Ｓ３８）。
【０１３６】
一方、報知ダイアログ２２１を表示しない対象となっているショートカットキー６１５に相当するキー入力がされていることの検知に加えて（Ｓ３６，Ｙｅｓ）、ステータスコードが報知ダイアログ２２１を表示しない対象となっているステータスコードであることが検知されると（Ｓ３７，Ｙｅｓ）、状態表示制御部２５は、抑制マーク２４１を強調表示させる（Ｓ３９）。このとき、ダイアログ表示制御部２２は、報知ダイアログ２２１を表示する処理は行わない。
【０１３７】
このＳ３５〜Ｓ３９の報知ダイアログ２２１の表示処理は、報知ダイアログ２２１の抑制を解除する所定キーが入力されるまで継続され（Ｓ４０，Ｎｏ）、この所定キーが入力されると（Ｓ４０，Ｙｅｓ）、報知ダイアログ２２１の表示処理は終了する。
【０１３８】
上述のように、本実施形態に係る医用情報表示装置１では、報知ダイアログ２２１を表示させないショートカットキー６１５が入力され、かつ報知ダイアログ２２１を表示させないエラー状態や警告状態のときに、報知ダイアログ２２１を表示しないようにしたが、報知ダイアログ２２１を表示させないショートカットキー６１５が入力されていれば、どのようなエラー状態又は警告状態であろうとも報知ダイアログ２２１を表示しないようにしてもよい。即ち、抑制条件テーブル６１４に登録されているショートカットキー６１５が入力されていれば、一律に報知ダイアログ２２１を表示しないようにしてもよい。
【０１３９】
（他の実施形態）
第１乃至第３の実施形態では、医用情報表示装置１を前提に説明したが、この第１乃至第３の実施形態に係るエラー状態や警告状態を示す報知ダイアログを表示する技術は、図１８に示す医用画像診断装置１００においても適用可能である。
【０１４０】
図１８は、他の実施形態に係る医用画像診断装置１００の構成を示す図である。
【０１４１】
この医用画像診断装置１００は、表示部１０と、ダイアログ表示制御部２２を有する表示制御部２０と、送受信部３０と、処理部４０と、抑制条件テーブル記憶部６１又はこれに加えて抑制ステータステーブル記憶部６２を有する設定部６０と、操作部７０と、撮影部８０とを有し、被検体を撮影して医用画像を作成する装置である。
【０１４２】
医用画像診断装置１００は、例えば、Ｘ線ＣＴ装置、Ｘ線診断装置、超音波診断装置、磁気共鳴イメージング装置、又は核医学診断装置である。Ｘ線ＣＴ装置は、撮影部８０により、Ｘ線を被検体回りに曝射して、被検体を透過したＸ線から被検体の断層像を撮影し、この断層像を表示部１０で表示する。Ｘ線診断装置は、撮影部８０により、Ｘ線を被検体の一方向から曝射して、被検体を透過したＸ線から被検体の平面透過像を撮影し、この平面透過像を表示部１０で表示する。超音波診断装置は、撮影部８０により、超音波を被検体内に送受波して被検体内の断層像を撮影し、この断層像を表示部１０で表示する。磁気共鳴医用画像診断装置は、撮影部８０により、静磁場中に置かれた被検体組織の原子核スピンを励起して、発生した磁気共鳴信号（ＭＲ信号）から被検体内の画像を撮影し、この画像を表示部１０で表示する。核医学診断装置は、放射性同位元素（Ｒａｄｉｏｉｓｏｔｏｐｅ：ＲＩ）で標識した薬剤を被検体に投与し、撮影部８０により、放射性同位元素から放射されるガンマ線を検出することで被検体内の画像を撮影し、この画像を表示部１０で表示する。
【０１４３】
この医用画像診断装置１００の処理部４０で行われる各種処理、撮影部８０で行われる各種処理、及び印刷装置２００等の外部装置で行われる各種処理においてエラー状態又は警告状態が生ずると、ダイアログ表示制御部２２により報知ダイアログ２２１を表示するが、抑制条件テーブル６１１に記憶されている条件の適合、又はこれに加えて抑制ステータステーブル記憶部６２に記憶されている条件の適合を検知部２３で検知すると、この報知ダイアログ２２１を表示しない。表示部１０に予め抑制表示制御部２４により抑制マーク２４１が表示され、報知ダイアログ２２１を表示しないエラー状態又は警告状態が生ずると、状態表示制御部２５により抑制マーク２４１を強調表示する。
【０１４４】
尚、この第１乃至第３の実施形態に係る医用情報表示装置１又はこれと同一構成を含む医用画像診断装置１００は、上述の各構成を専用回路で備えていてもよいし、医用情報表示装置１００又は医用画像診断装置１に所謂コンピュータとし、又はコンピュータを搭載するようにし、上述の各構成をコンピュータに機能させる制御プログラムを実行させるようにしてもよい。
【０１４５】
コンピュータは、ＣＰＵ等の演算制御装置と、ＲＡＭ等の主記憶装置と、ＲＯＭやＨＤＤ等の外部記憶装置と、ネットワークインターフェースを有し、外部記憶装置に記憶された制御プログラムを適宜、主記憶装置に展開し、演算制御装置で解読及び実行する装置である。
【０１４６】
以上のように、上述の各実施形態に係る医用情報表示装置１又は医用画像診断装置１００では、所定条件の適合を検知すると、エラー状態又は警告状態が発生しても報知ダイアログ２２１を表示しない。所定条件は、登録されているアプリケーションの起動、登録されているモードでの医用情報の表示、又は登録されているショートカットキーの入力等、又はこれに加えて登録されている種類のエラー状態又は警告状態の発生である。
【０１４７】
これにより、事前に患者や患者の家族や受診者が見る可能性のある画面を表示させるアプリケーションを登録し、又は事前に患者や患者の家族や受診者が見る可能性のある画面が表示される環境で動作するモードを登録しておけば、これらの者が見ている前では報知ダイアログ２２１が表示されなくなる。また、ショートカットキーを登録し、患者や患者の家族や受診者が見る可能性のあるときに事前にこのショートカットキーを入力しておけば、これらの者が見ている前では報知ダイアログ２２１が表示されなくなる。
【０１４８】
従って、病状や診断に関わる警告又はエラーなのか、それ以外のものなのかを判断できない患者や患者の家族や受診者が報知ダイアログ２２１を見ることがなくなり、これらの者の精神的な負担を軽減することができる。また、医師や技師や看護師等の医療従事者にとっても、これらの者に不必要な説明を行う必要が無くなり、その負担が軽減される。
【０１４９】
また、抑制マーク２４１を表示しておくことで、この報知ダイアログ２２１が表示されない状態であることを操作者が認識することができ、エラー状態や警告状態が生じたときに抑制マーク２４１を強調表示することで、患者や患者の家族や受診者に知られることなく、操作者のみが何らかのエラー状態や警告状態が発生したことを知ることができる。
【０１５０】
また、報知ダイアログ２２１を表示させない条件として、エラー状態又は警告状態の種類を登録しておくことで、装置に支障をもたらすおそれのある重大なエラー又は警告については報知ダイアログ２２１は表示させたり、患者や患者の家族や受診者が不安に駆られることのない明瞭な報知ダイアログ２２１は表示させたり、医療従事者にとって説明が苦とならない報知ダイアログ２２１は表示させたりすることができ、報知ダイアログ２２１の表示及び非表示に柔軟性を持たせることができる。
【図面の簡単な説明】
【０１５１】
【図１】第１の実施形態に係る医用情報表示装置の構成を示す図である。
【図２】第１の実施形態に係る抑制条件テーブルを示すデータ構造図である。
【図３】抑制ステータステーブルを示すデータ構造図である。
【図４】第１の実施形態に係る医用情報表示装置の報知ダイアログの表示処理を示すフローチャートである。
【図５】報知ダイアログを表示させない対象となるアプリケーションを設定するための設定ウィンドウを示す模式図である。
【図６】報知ダイアログの表示が抑制されるステータスを設定するための設定ウィンドウを示す模式図である。
【図７】報知ダイアログの表示が抑制されない場合の画面を示す模式図である。
【図８】報知ダイアログを表示させない条件の一つである登録されたアプリケーションが起動されている場合の画面を示す模式図である。
【図９】エラー状態又は警告状態が発生したが、報知ダイアログを表示させない場合の画面を示す模式図である。
【図１０】第２の実施形態に係る医用情報表示装置の構成を示す模式図である。
【図１１】画面色パターンを示す情報を示すデータ構造図である。
【図１２】画面色パターン管理テーブルを示すデータ構造図である。
【図１３】第２の実施形態に係る抑制条件テーブルを示すデータ構造図である。
【図１４】第２の実施形態に係る医用情報表示装置の報知ダイアログの表示処理を示すフローチャートである。
【図１５】第３の実施形態に係る抑制条件テーブルを示すデータ構造図である。
【図１６】報知ダイアログの表示を抑制するショートカットキーを事前設定するための設定ウィンドウを示す模式図である。
【図１７】第３の実施形態に係る医用情報表示装置の報知ダイアログの表示処理を示すフローチャートである。
【図１８】他の実施形態に係る医用画像診断装置の構成を示す図である。
【符号の説明】
【０１５２】
１      医用情報表示装置
１０    表示部
２０    表示制御部
２１    医用情報表示制御部
２１１  画面色パターン選出部
２１１ａ  画面色ＩＤ
２１１ｂ  モード識別情報
２１２  画面色パターン管理テーブル記憶部
２２    ダイアログ表示制御部
２２１  報知ダイアログ
２３    検知部
２４    抑制表示制御部
２４１  抑制マーク
２５    状態表示制御部
３０    送受信部
４０    処理部
５０    画面情報記憶部
５０１  テンプレート記憶部
５０２  画面色パターン記憶部
５０２ａ  暗色の画面色パターン
５０２ｂ  中間色の画面色パターン
５０２ｃ  明色の画面色パターン
５０３  患者情報記憶部
５０４  医用画像記憶部
６０    設定部
６０１  設定ウィンドウ
６０２  チェックボックス
６０３  設定ウィンドウ
６０４  チェックボックス
６０５  フィールド
６１    抑制条件テーブル記憶部
６１１  抑制条件テーブル
６１２  抑制アプリケーションＩＤ
６１３  抑制条件テーブル
６１４  抑制条件テーブル
６１５  ショートカットキー
６１６  フラグ
６２    抑制ステータステーブル記憶部
６２１  抑制ステータステーブル
６２２  抑制ステータスコード
７０    操作部
８０    撮影部
１００  医用画像診断装置
２００  印刷装置
Ｎ      ネットワーク
【図１】
2009160234.tif 000003
【図２】
2009160234.tif 000004
【図３】
2009160234.tif 000005
【図４】
2009160234.tif 000006
【図５】
2009160234.tif 000007
【図６】
2009160234.tif 000008
【図１０】
2009160234.tif 000009
【図１１】
2009160234.tif 000010
【図１２】
2009160234.tif 000011
【図１３】
2009160234.tif 000012
【図１４】
2009160234.tif 000013
【図１５】
2009160234.tif 000014
【図１６】
2009160234.tif 000015
【図１７】
2009160234.tif 000016
【図１８】
2009160234.tif 000017
【図７】
2009160234.tif 000018
【図８】
2009160234.tif 000019
【図９】
2009160234.tif 000020